(57)【要約】【課題】樹脂シートが収縮して成形品のピッチが変化しても、成形品を正確に位置合わせした状態で切断し分離することができるようにする。【解決手段】樹脂シート５１に成形された成形品５２を打ち抜く打抜装置の打抜ステーションの上流側に配設され、樹脂シート５１を切断する樹脂シート切断装置を有し、前記樹脂シート５１における隣接する成形品５２同士の間のスクラップ部にスリットを形成する。【選択図】　　　　　図１
2004050343.tif 000002
【特許請求の範囲】
【請求項１】
（ａ）樹脂シートに成形された成形品を打ち抜く打抜装置の打抜ステーションの上流側に配設され、樹脂シートを切断する樹脂シート切断装置を有し、
（ｂ）前記樹脂シートにおける隣接する成形品同士の間のスクラップ部にスリットを形成することを特徴とする抜きずれ防止装置。
【請求項２】
前記樹脂シート切断装置は、前記樹脂シートの幅方向に関する位置を調整することができる請求項１に記載の抜きずれ防止装置。
【請求項３】
前記樹脂シート切断装置は、切断刃又はレーザビームによって前記樹脂シートを切断する請求項１又は２に記載の抜きずれ防止装置。
【請求項４】
前記スリットを形成する際に前記樹脂シートをガイドするガイド手段を有する請求項１〜３のいずれか１項に記載の抜きずれ防止装置。
【請求項５】
前記スリットは、前記樹脂シートの搬送方向に間欠的に延在するように形成される請求項１〜４のいずれか１項に記載の抜きずれ防止装置。
【請求項６】
前記スリットのそれぞれは、前記成形品のそれぞれに対応するように、又は、１ショットの成形動作に対応する部分のそれぞれに対応するように形成される請求項５に記載の抜きずれ防止装置。
【請求項７】
前記打抜装置は、トムソン刃を用いる打抜プレス装置又は打抜刃を用いるトリミング装置である請求項１〜６のいずれか１項に記載の抜きずれ防止装置。
【発明の詳細な説明】
【０００１】
【発明の属する技術分野】
本発明は、抜きずれ防止装置に関するものである。
【０００２】
【従来の技術】
従来、連続した樹脂シートに、食品、飲料、電気部品、日用品、医薬品等を収容する容器、該容器の蓋（ふた）等の樹脂製の成形品を成形するための樹脂シート成形ラインにおいては、成形装置によって成形された成形品を、樹脂シートから切断し分離するために打抜刃を用いるトリミング装置、トムソン刃を用いる打抜プレス装置等の打抜装置が提供されている。
【０００３】
ここで、前記成形装置は、連続した前記樹脂シート上に熱成形方法によって成形品を成形する熱成形機であり、前記樹脂シートは、搬送装置によって１ショットの成形に要する長さずつ間欠的に搬送され、前記熱成形機に送り込まれる。そして、該熱成形機の樹脂シート搬送方向における下流側の成形品を切断して分離する打抜ステーションにはトリミング装置や打抜プレス装置が配設され、該トリミング装置や打抜プレス装置において、前記成形品は樹脂シートから切断され、分離され、集積された後、包装、箱詰め等の後工程に送り出される。
【０００４】
図２は従来のトリミング装置の概念図である。
【０００５】
図において、樹脂シート１０１は、図示されない搬送装置によって間欠的に搬送され、搬送方向における上流側（図における左側）に配設された図示されない成形装置において、成形品１０２が成形された後、トリミング装置に送り込まれる。前記成形品１０２は、上に向かって凸状の形状を有し、樹脂シート１０１の幅方向（図面に対して垂直方向）に複数成形される。
【０００６】
そして、前記成形品１０２がトリミング装置の所定の位置に到達すると、前記搬送装置が樹脂シート１０１を停止させるので、前記成形品１０２はトリミング位置に正確に位置決めされる。続いて、上側打抜刃駆動装置１０９が作動して、上側打抜刃１１１を下方向に移動させ、下側打抜刃１１２と噛（か）み合わせることによって、該下側打抜刃１１２上に位置決めされた前記成形品１０２の外周を切断して、該成形品１０２を前記樹脂シート１０１から分離させることによって、トリミングする。
【０００７】
また、トリミングされた成形品１０２は前記下側打抜刃１１２の開口を通って落下し、前記下側打抜刃１１２の下方に位置するテーブル１１４の上に、トリミングされた後の成形品１０２である打抜成形品１１３が集積する。
【０００８】
【発明が解決しようとする課題】
しかしながら、前記従来のトリミング装置、打抜プレス装置等の打抜装置においては、熱成形機から搬送された樹脂シートが収縮しているので、該樹脂シートに成形された成形品を切断する際に、該成形品を正確に位置決めすることができなくなってしまう。
【０００９】
通常、熱成形機によって成形品が成形された樹脂シートは、成形品を切断して分離する打抜ステーションに搬送されて来るまでの間に、冷却されて収縮してしまう。そのため、前記従来のトリミング装置、打抜プレス装置等の打抜装置においては、前記樹脂シートの収縮率を考慮に入れて、打抜刃やトムソン刃のピッチが熱成形機における成型型のピッチよりも小さく設定されている。しかし、樹脂シートの収縮率は、材質、厚み、加熱温度、打抜ステーションにおける温度、気温等の影響を受けて変動する。また、樹脂シートの打抜ステーションにおける温度は、打抜ステーションに搬送されて来るまでに要する時間、サイクルタイム等によっても変動する。
【００１０】
そのため、打抜ステーションにおける成形品のピッチを正確に予測することは、変動要因が多いので困難である。特に、樹脂シートの材質がＰＰ（ポリプロピレン）である場合、収縮率が大きいので、打抜ステーションにおける成形品のピッチを予測することは極めて困難である。したがって、従来の打抜装置においては、樹脂シートに成形された成形品と打抜刃やトムソン刃との位置がずれてしまい、成形品を正確に切断し分離することができなくなってしまう。すなわち、抜きずれが発生してしまう。
【００１１】
本発明は、前記従来の問題点を解決して、樹脂シートが収縮して成形品のピッチが変化しても、成形品を正確に位置合わせした状態で切断し分離することができる抜きずれ防止装置を提供することを目的とする。
【００１２】
【課題を解決するための手段】
そのために、本発明の抜きずれ防止装置においては、樹脂シートに成形された成形品を打ち抜く打抜装置の打抜ステーションの上流側に配設され、樹脂シートを切断する樹脂シート切断装置を有し、前記樹脂シートにおける隣接する成形品同士の間のスクラップ部にスリットを形成する。
【００１３】
本発明の他の抜きずれ防止装置においては、さらに、前記樹脂シート切断装置は、前記樹脂シートの幅方向に関する位置を調整することができる。
【００１４】
本発明の更に他の抜きずれ防止装置においては、さらに、前記樹脂シート切断装置は、切断刃又はレーザビームによって前記樹脂シートを切断する。
【００１５】
本発明の更に他の抜きずれ防止装置においては、さらに、前記スリットを形成する際に前記樹脂シートをガイドするガイド手段を有する。
【００１６】
本発明の更に他の抜きずれ防止装置においては、さらに、前記スリットは、前記樹脂シートの搬送方向に間欠的に延在するように形成される。
【００１７】
本発明の更に他の抜きずれ防止装置においては、さらに、前記スリットのそれぞれは、前記成形品のそれぞれに対応するように、又は、１ショットの成形動作に対応する部分のそれぞれに対応するように形成される。
【００１８】
本発明の更に他の抜きずれ防止装置においては、さらに、前記打抜装置は、トムソン刃を用いる打抜プレス装置又は打抜刃を用いるトリミング装置である。
【００１９】
【発明の実施の形態】
以下、本発明の実施の形態について図面を参照しながら詳細に説明する。
【００２０】
図１は本発明の第１の実施の形態における打抜装置の側面図である。
【００２１】
図において、１０は打抜装置としてのトリミング装置であり、連続した樹脂シート５１に、カップ麺（めん）、刺身、ゼリー等の食品、果汁、炭酸水等の飲料、電気部品、日用品、医薬品等を収容する容器、該容器の蓋等の樹脂製の成形品５２を成形する樹脂シート成形ラインにおいては、前記樹脂シート５１の搬送方向における図示されない成形装置の下流側に配設され、成形された成形品５２を前記樹脂シート５１から切断し分離する。
【００２２】
なお、前記打抜装置は、トムソン刃を用いる打抜プレス装置であってもよいが、本実施の形態においては、説明の都合上、打抜刃を用いて成形品５２を樹脂シート５１から切断して分離する、すなわち、トリミングするトリミング装置である場合についてのみ説明する。
【００２３】
また、前記成形装置は、例えば、真空成形、圧空成形、絞り成形、プレス成形、マッチドモールド成形等の熱成形方法により連続した前記樹脂シート５１上に前記成形品５２を成形する。そして、該成形品５２は、いかなる形状を有するものであってもよいが、搬送、保管等におけるハンドリングを考慮して、互いに嵌（は）め合わせて集積することが可能な形状、例えば、側壁が傾斜し開口部が広く底部が狭い皿、カップ等の形状を有することが望ましい。
【００２４】
本実施の形態における前記樹脂シート５１としては、ＰＶＣ（ポリ塩化ビニル）、ＰＳ（ポリスチレン）、発泡ポリスチレン、ＰＰ、ＰＥＴ（ポリエチレンテレフタレート）、ＰＣ（ポリカーボネイト）、ＡＢＳ樹脂、メタクリル樹脂、生分解性樹脂等が使用される。また、耐水性、ガスバリヤー性等を考慮して、複数の種類の樹脂を積層したシートを使用することもできる。
【００２５】
ここで、１２は前記トリミング装置１０の打抜ステーションに配設される、図示されない上側打抜刃駆動装置によって上下方向に移動させられる上側打抜刃支持テーブル、１３は該上側打抜刃支持テーブル１２に取り付けられた上側打抜刃である。この場合、前記上側打抜刃駆動装置として、油圧及び上下方向に移動させられるロッドから成るもの、モータによって回転させられるクランク軸及び上下方向に移動させられるロッドから成るもの等の上側打抜刃１３を上下方向に移動させるための駆動力を発生させるものが使用される。
【００２６】
また、前記成形品５２は下方に突出した形状、例えば、外周が円形状で、かつ、側壁が傾斜し開口部が広く底部が狭い皿を伏せたような形状を有し、前記樹脂シート５１の幅方向（図面に対して垂直方向）に複数、例えば、５個形成される。また、前記成形品５２は樹脂シート５１の搬送方向（図１における右方向に移動）に所定のピッチで形成される。
【００２７】
そして、前記上側打抜刃１３は、前記樹脂シート５１の幅方向に複数、例えば、５個取り付けられる。ここで、前記上側打抜刃１３は、それぞれ、断面が、樹脂シート５１に成形された成形品５２の外周と同じ形状、例えば、円形状を有する筒状体から成る。そして、前記上側打抜刃１３内には、後述されるノックアウト１７が、上下方向に移動自在に収容される。また、１１は前記ノックアウト１７の駆動装置である。
【００２８】
また、１４は前記トリミング装置１０の下方に固定された下側打抜刃支持テーブル、１５は該下側打抜刃支持テーブル１４に固定された下側打抜刃である。該下側打抜刃１５は、前記上側打抜刃１３と対応する位置に、樹脂シート５１の幅方向に、複数、例えば、５個取り付けられる。また、前記下側打抜刃１５は、前記上側打抜刃１３と同様に、それぞれ、断面が、樹脂シート５１に成形された成形品５２の外周と同じ形状、例えば、円形状を有する筒状体から成る。
【００２９】
そして、前記上側打抜刃支持テーブル１２が前記上側打抜刃駆動装置によって下方向に移動させられると、前記上側打抜刃１３と前記下側打抜刃１５とが互いに噛み合わされ、該下側打抜刃１５上に位置決めされた前記成形品５２を、前記樹脂シート５１から外周を切断して分離する、すなわち、トリミングする。この場合、前記上側打抜刃１３及び前記下側打抜刃１５は、前記樹脂シート５１の幅方向に、複数、例えば、５個取り付けられるので、１回のトリミング動作で複数、例えば、５個の前記成形品５２がトリミングされる。そして、前記樹脂シート５１からトリミングされた後の成形品５２である打抜成形品は、前記下側打抜刃１５内を通って下方向に移動させられる。
【００３０】
さらに、１６は搬送ロールであり、前記樹脂シート５１から前記成形品５２がトリミングされた後のスクラップ５３の両端を挟んで搬送する。ここで、前記搬送ロール１６は、図示されない駆動装置によって、間欠的に回転させられ、トリミング動作中は停止させられる。また、前記スクラップ５３は、前記トリミング装置１０の外部に排出される。
【００３１】
また、２０は樹脂シート５１の搬送方向における打抜ステーションより上流側に配設されたシートガイド装置であり、該シートガイド装置２０は、支持台２１、該支持台２１に揺動可能に取り付けられた揺動枠２２、該揺動枠２２に取り付けられた上側シートガイド２３、前記揺動枠２２に取り付けられた下側シートガイド２４、揺動枠２２を揺動させるための揺動シリンダ装置２５から成る。そして、揺動枠２２が揺動シリンダ装置２５によって前記上側打抜刃１３と連動して間欠的に揺動させられるので、前記樹脂シート５１は前記下側打抜刃１５上で、間欠的に上下方向に移動させられる。これにより、成形品５２をトリミングする際に、下方に突出した形状の成形品５２が下側打抜刃１５の内部に上方から嵌まり込むようになっている。
【００３２】
そして、樹脂シート５１の搬送方向におけるシートガイド装置２０より上流側には、抜きずれ防止装置としてのスリット形成装置３０が前記支持台２１に配設されている。ここで、前記スリット形成装置３０は、装置フレーム３１を有し、該装置フレーム３１の下部に取り付けられたガイド部材３９によって、前記支持台２１上のレール４５に沿って、樹脂シート５１の搬送方向に移動可能に取り付けられている。前記スリット形成装置３０は、装置フレーム３１及び昇降フレーム４１に取り付られた樹脂シート切断装置としてのスリット形成ロール３３及び駆動ロール３５を備え、前記樹脂シート５１における成形品５２の間に搬送方向に延在するスリットを形成するようになっている。この場合、該スリットは、隣接する成形品５２同士の間の部分としてのスクラップ部に形成される。
【００３３】
さらに、前記装置フレーム３１にはシートガイド３２が取り付けられている。一般に、樹脂シート成形ラインにおいて、トリミング装置１０と樹脂シート５１の搬送方向における上流側（図１における左側）に配設された図示されない成形装置とでは、樹脂シート５１の搬送速度に差があるので、前記搬送速度の差を吸収するバッファとして、前記成形装置とトリミング装置１０との間に前記樹脂シート５１にたるみを生じさせている。そして、図１に示されるように、たるんだ前記樹脂シート５１を所定の高さにある下側打抜刃１５上に円滑に送ることができるように、前記シートガイド３２の上流側は曲面を有することが望ましい。
【００３４】
また、トリミング装置１０は図示されない制御装置を有する。該制御装置は、ＣＰＵ、ＭＰＵ等の演算手段、半導体メモリ、ハードディスク等の記憶手段、キーボード、タッチパネル等の入力手段、ＣＲＴ、液晶ディスプレイ等の表示手段入出力インターフェイス等を備え、トリミング装置１０、シートガイド装置２０及びスリット形成装置３０のすべて又は一部の動作を総括的に制御する。なお、前記制御装置は、独立したものでなく、例えば、樹脂シート成形ラインにおける成形装置、加熱装置等の装置を制御する制御装置の一部として他の制御装置に統合されたものを使用することができる。
【００３５】
次に、前記スリット形成装置３０の構成について説明する。
【００３６】
図３は本発明の第１の実施の形態におけるスリット形成装置の正面断面図であり図１のＡ矢視断面図、図４は本発明の第１の実施の形態におけるスリット形成装置の側断面図であり図３のＢ矢視断面図である。
【００３７】
スリット形成装置３０の装置フレーム３１には、図３に示されるように、単数又は複数の駆動ロール３５が取り付けられた駆動軸３８が回転可能に取り付けられている。該駆動軸３８は、前記装置フレーム３１に取り付けられた駆動源であるサーボモータ４４によって回転させられる。ここで、前記駆動ロール３５は、駆動軸３８に対して回転不能に、軸方向（図３における左右方向）に位置調整可能に、かつ、着脱可能に取り付けられている。これにより、前記駆動ロール３５の樹脂シート５１の幅方向（図３における左右方向）に関する位置や個数を、成形品５２の位置、大きさ、個数等に合わせて、適宜調整することができる。例えば、図３に示されるように、成形品５２が樹脂シート５１の幅方向に５個形成されている場合、４個の駆動ロール３５が駆動軸３８に取り付けられ、それぞれの駆動ロール３５の位置は、隣接する成形品５２同士の間の部分、すなわち、樹脂シート５１の搬送方向（図３に対して垂直方向）に延在するスクラップ部に対応するように調整されている。なお、前記駆動ロール３５は、円周面に円周方向に延在する切断刃収容スリット３６が形成されている。該切断刃収容スリット３６は後述される切断刃３４を収容することができる深さに形成されている。また、前記装置フレーム３１には、樹脂シート５１の両端をガイドするガイド部材４３が取り付けられている。該ガイド部材４３は、スリットを形成する際に樹脂シート５１をガイドするガイド手段として機能する。
【００３８】
そして、前記装置フレーム３１の上には、昇降フレーム４１が油圧シリンダ装置、空圧シリンダ装置、サーボモータ機構等から成る昇降装置４２を介して、上下方向に移動可能に取り付けられている。前記昇降フレーム４１には、図３に示されるように、単数又は複数のスリット形成ロール３３が取り付けられた回転軸３７が回転可能に取り付けられている。ここで、前記スリット形成ロール３３は、回転軸３７に対して回転不能に、軸方向（図３における左右方向）に位置調整可能に、かつ、着脱可能に取り付けられている。なお、前記スリット形成ロール３３は、回転軸３７に対して回転可能であってもよい。この場合には、該回転軸３７を昇降フレーム４１に回転不能に取り付けることができる。これにより、前記スリット形成ロール３３の樹脂シート５１の幅方向（図３における左右方向）に関する位置や個数を、成形品５２の位置、大きさ、個数等に合わせて、適宜調整することができる。例えば、図３に示されるように、成形品５２が樹脂シート５１の幅方向に５個形成されている場合、４個のスリット形成ロール３３が回転軸３７に取り付けられ、それぞれのスリット形成ロール３３位置は、隣接する成形品５２同士の間のスクラップ部に対応するように調整されている。
【００３９】
ここで、スリット形成ロール３３の円周面には、鍔（つば）状の切断刃３４が半径方向に突出するように取り付けられている。そして、前記スリット形成ロール３３は、それぞれ、駆動ロール３５に対応する位置になるように調整され、昇降フレーム４１が、図３又は４に示されるように、下降している状態において、前記切断歯３４が駆動ロール３５の切断刃収容スリット３６に収容される。これにより、昇降フレーム４１が下降している時、前記スリット形成ロール３３と駆動ロール３５とが樹脂シート５１の幅方向において隣接する成形品５２同士の間のスクラップ部を上下から挟み込み、切断刃３４によって前記スクラップ部に樹脂シート５１の搬送方向に延在するスリットを形成する。この場合、前記スリット形成ロール３３と駆動ロール３５とは、スリットを形成する際に樹脂シート５１をガイドするガイド手段としても機能する。
【００４０】
次に、前記構成のスリット形成装置３０の動作を説明する。
【００４１】
図５は本発明の第１の実施の形態におけるスリットが形成された樹脂シートを示す第１の平面図、図６は本発明の第１の実施の形態におけるスリットが形成された樹脂シートを示す第２の平面図、図７は本発明の第１の実施の形態におけるスリット形成装置の動作を示すタイムチャートである。
【００４２】
図１に示されるようなトリミング装置１０において、樹脂シート５１は搬送ロール１６及びスリット形成装置３０の駆動ロール３５によって間欠的に搬送され、スリット形成装置３０を通過して打抜ステーションに到達する。この時、前記樹脂シート５１は、搬送ロール１６及び駆動ロール３５が所定の回転数だけ回転することによって、前記成形品５２のピッチ間隔に相当する距離だけ正確に搬送された後に停止するようになっている。前記ピッチ間隔はあらかじめ前記制御装置の記憶手段に格納しておいてもよいし、図示されないセンサが前記成形品５２の端面を検出することによって、計測するようにしてもよい。
【００４３】
また、前記樹脂シート５１は、シートガイド装置２０よって上下方向に煽（あお）られ、前記樹脂シート５１上に形成された成形品５２が下側打抜刃１５上に送られて停止させられる。そして、前記上側打抜刃駆動装置を駆動することによって、上側打抜刃支持テーブル１２が下方向に移動させられ、上側打抜刃１３と下側打抜刃１５とが噛み合わされることによって、前記打抜ステーションにおいて成形品５２がトリミングされる。
【００４４】
ここで、樹脂シート５１には、スリット形成装置３０を通過することによって、図５に示されるように、隣接する成形品５２同士の間のスクラップ部にスリット５４が形成されている。図５において、樹脂シート５１は矢印Ｃで示される方向に搬送され、５１ａは成形装置の第１番目のショットの成形動作によって成形品５２が成形される部分としての１ショット目、また、５１ｂは成形装置の第２番目のショットの成形動作によって成形品５２が成形される部分としての２ショット目である。この場合、成形装置の１ショットの成形動作によって、成形品５２は樹脂シート５１の幅方向に５個、搬送方向に４列形成されることが分かる。
【００４５】
そして、スリット形成装置３０の昇降フレーム４１は、昇降装置４２の動作によって、成形品５２の搬送方向に関するピッチに合わせて間欠的に昇降し、図５に示されるように、樹脂シート５１にスリット５４を間欠的に形成する。この場合、昇降フレーム４１が間欠的に昇降することによって、スリット形成ロール３３と駆動ロール３５とが樹脂シート５１の幅方向において隣接する成形品５２同士の間のスクラップ部を上下から間欠的に挟み込む。そして、サーボモータ４４によって回転させられる駆動ロール３５の回転によって樹脂シート５１が搬送される。これにより、前記スリット形成ロール３３の切断刃３４が、前記樹脂シート５１の幅方向において隣接する成形品５２同士の間のスクラップ部を間欠的に切断してスリット５４を形成する。ここで、それぞれのスリット５４の樹脂シート５１の搬送方向に関する位置は、それぞれの成形品５２の位置に対応するようになっている。すなわち、スリット５４は成形品５２のそれぞれに対応するように間欠的に形成される。
【００４６】
なお、図５において、１ショット目５１ａと２ショット目５１ｂとの間に点線で示される成形ショット間部５３には、スリット５４は形成されないようになっている。すなわち、前記成形ショット間部５３が駆動ロール３５を通過する時には、昇降フレーム４１が昇降装置４２によって上昇させられ、スリット形成ロール３３が上昇して、樹脂シート５１の上方に離れた状態となっている。これにより、成形ショット間部５３にスリット５４が形成されない。これは、成形ショット間部５３にスリット５４が形成されると、樹脂シート５１が搬送方向に延在する複数の帯状となって幅方向に分離してしまい、搬送ロール１６によって搬送方向の下流方向（図５における右方向）に引っ張る力を受けても、両側以外の部分が搬送されなくなってしまうためである。
【００４７】
また、前記スリット５４に代えて、図６に示されるようなスリット５５を形成することもできる。ここで、該スリット５５は、１ショット目５１ａ及び２ショット目５１ｂにおいて、樹脂シート５１の幅方向において隣接する成形品５２同士の間のスクラップ部に連続して形成されるが、成形ショット間部５３には形成されないようになっている。すなわち、スリット５５は、１ショットの成形動作に対応する部分のそれぞれに対応するように間欠的に形成される。
【００４８】
この場合、スリット形成装置３０の昇降フレーム４１は、昇降装置４２の動作によって、搬送方向に関する１ショットの成形動作に対応する部分のピッチに合わせて間欠的に昇降し、図６に示されるように、樹脂シート５１にスリット５５を間欠的に形成する。この場合、昇降フレーム４１が間欠的に昇降することによって、スリット形成ロール３３と駆動ロール３５とが樹脂シート５１の幅方向において隣接する成形品５２同士の間のスクラップ部を上下から間欠的に挟み込む。そして、サーボモータ４４によって回転させられる駆動ロール３５の回転によって樹脂シート５１が搬送される。これにより、前記スリット形成ロール３３の切断刃３４が、前記樹脂シート５１の幅方向において隣接する成形品５２同士の間のスクラップ部を間欠的に切断してスリット５５を形成する。
【００４９】
なお、前記スリット５４及びスリット５５を形成する場合のスリット形成ロール３３の昇降動作と、トリミング装置１０の上側打抜刃１３の昇降動作（上側打抜刃の動作）及び樹脂シート５１の搬送動作（樹脂シートの搬送動作）との関係は、図７に示されるようになっている。図７において、昇降刃の第１の動作はスリット５４を形成する場合のスリット形成ロール３３の昇降動作であり、昇降刃の第２の動作はスリット５５を形成する場合のスリット形成ロール３３の昇降動作である。そして、図７に示される例においては、トリミング装置１０の上側打抜刃１３が樹脂シート５１を打ち抜いている際、スリット形成ロール３３でスリット５４及びスリット５５が形成されない。したがって、容器のサイズや成形品５２のピッチによって、トリミング装置１０の上側打抜刃１３の中心位置とスリット形成ロール３３の中心位置との距離Ｌを調整する必要がある。このため、スリット形成装置３０は、装置フレーム３１の下部にガイド部材３９を取り付け、支持台２１に取り付けられたレール４５に沿って、樹脂シート５１の搬送方向に沿って移動可能に支持されている。
【００５０】
このように、隣接する成形品５２同士の間のスクラップ部にスリット５４又はスリット５５が形成されているので、打抜ステーションにおいて、成形品５２が下側打抜刃１５上に送られて樹脂シート５１が停止させられた時に、それぞれの成形品５２は樹脂シート５１の幅方向に移動可能となっている。そのため、成形装置によって成形品５２が成形された樹脂シート５１が打抜ステーションに搬送されて来るまでの間に冷却されて収縮していても、前記打抜ステーションにおいて前記成形品５２をトリミングする際に、隣接する成形品５２同士の間隔を適切な寸法に調整することができる。
【００５１】
すなわち、前記成形品５２をトリミングする場合、上側打抜刃支持テーブル１２が図示されない上側打抜刃駆動装置によって下方向に移動させられると、上側打抜刃１３がそれぞれ対応する成形品５２の周囲の樹脂シート５１を上方から下側打抜刃１５に押し付け、前記上側打抜刃１３と下側打抜刃１５とが互いに噛み合って切断する。ところで、樹脂シート５１は、シートガイド装置２０によって上下方向に煽られ上方から下側打抜刃１５上に被さるようにして停止させられるので、樹脂シート５１の下面に突出するように形成された成形品５２は、図１に示されるように、筒状の下側打抜刃１５の中に入り込む。そして、該下側打抜刃１５の断面が前記成形品５２の外周と同じ形状を有する筒状体から成るので、前記成形品５２は前記下側打抜刃１５によって位置決めされる。
【００５２】
ここで、隣接する成形品５２同士の間のスクラップ部にスリット５４又はスリット５５が形成されているので、打抜ステーションにおいて、それぞれの成形品５２は樹脂シート５１の幅方向に関してフリーな状態となっている。また、樹脂シート５１が停止させられると、搬送ロール１６が自由回転するようになっているので、成形品５２は樹脂シート５１の搬送方向に関してもフリーな状態となっている。そのため、成形品５２の位置と下側打抜刃１５の位置とがずれている場合、すなわち、成形品５２と下側打抜刃１５とが整合していない場合でも、成形品５２は移動可能なので、前記下側打抜刃１５の中に入り込むことによって、位置が調整され、正確に位置決めされる。すなわち、樹脂シート５１のスクラップ部にスリット５４又はスリット５５が形成され、成形品５２がフリーな状態となっているので、該成形品５２は、下側打抜刃１５に対して自己整合可能な状態となっている。したがって、前記成形品５２は、正確に位置決めされて打ち抜かれるので、良質の打抜成形品となる。
【００５３】
なお、前記成形品５２が樹脂シート５１の上面に突出するように形成されている場合も、同様にして、正確に位置決めされて打ち抜かれる。すなわち、樹脂シート５１の上面に突出するように形成された成形品５２は、打抜ステーションにおいて、上側打抜刃１３の中に入り込む。この場合、該上側打抜刃１３の断面が前記成形品５２の外周と同じ形状を有する筒状体から成るので、前記成形品５２は前記上側打抜刃１３によって位置決めされる。
【００５４】
そして、トリミングされた打抜成形品は、前記下側打抜刃１５の内部を通過して下方向に移動し、図示されないマンドレル、集積テーブル等の上に集積した後、トリミング装置本体から、包装、箱詰め等のその後の工程へ向けて、送り出される。
【００５５】
このように、本実施の形態においては、樹脂シート５１の搬送方向における打抜ステーションより上流側に配設されたスリット形成装置３０によって、樹脂シート５１における隣接する成形品５２同士の間のスクラップ部にスリット５４又はスリット５５が形成される。そのため、打抜ステーションにおいて、それぞれの成形品５２は、樹脂シート５１の幅方向に関してフリーな状態となっているので、上側打抜刃１３又は下側打抜刃１５に対して自己整合可能な状態となっている。したがって、樹脂シート５１が、例えば、ＰＰのような収縮率が大きい材質から成るものであっても、前記成形品５２は、正確に位置決めされて打ち抜かれるので、良質の打抜成形品となる。
【００５６】
また、前記スリット５４及びスリット５５は、間欠的に形成され、成形ショット間部５３には形成されないようになっている。そのため、樹脂シート５１が幅方向に分離して複数の帯状になってしまうことがないので、前記樹脂シート５１は、幅方向における全部分が搬送ロール１６により搬送方向に引っ張る力を受けることができ、安定して搬送される。
【００５７】
さらに、前記スリット５４は成形品５２のそれぞれに対応するように間欠的に形成されるので、それぞれの長さが短くなっている。そのため、前記樹脂シート５１は、幅方向における全部分が搬送ロール１６により搬送方向に引っ張る力を均一に受けることができ、より安定して搬送される。
【００５８】
さらに、前記スリット５５は、１ショットの成形動作に対応する部分のそれぞれに対応するように間欠的に形成されるので、それぞれの長さが長くなっている。そのため、打抜ステーションにおいて、それぞれの成形品５２の樹脂シート５１の幅方向に関する移動可能量が大きく、樹脂シート５１の収縮率が高くても、自己整合可能となる。また、昇降装置４２の動作が簡略となるので、該昇降装置４２の制御を容易に行うことができる。
【００５９】
次に、本発明の第２の実施の形態について説明する。なお、前記第１の実施の形態と同じ構造を有するものについては、同じ符号を付与することによって、その説明を省略する。
【００６０】
図８は本発明の第２の実施の形態における打抜装置の側面図、図９は本発明の第２の実施の形態におけるスリット形成装置の動作を示すタイムチャートである。
【００６１】
図８において、６０は本実施の形態における抜きずれ防止装置としてのスリット形成装置である。該スリット形成装置６０は、装置フレーム６１に取り付られた樹脂シート切断装置としてのレーザビーム切断装置６２を備え、前記樹脂シート５１における成形品５２の間に搬送方向に延在するスリットを形成するようになっている。なお、前記装置フレーム６１は、シートガイド装置２０の支持台２１に配設される。
【００６２】
ここで、前記レーザビーム切断装置６２は、図８における下端にレーザビーム照射口を備え、下方に向けてレーザビームを照射する。なお、レーザは、例えば、ＹＡＧレーザのような固体レーザやＣＯ２　レーザやＡｒレーザのような気体レーザがあるが、プラスチックの切断に対してはＣＯ２　レーザの使用が望ましい。また、前記レーザビーム切断装置６２は、樹脂シート５１の幅方向に複数個並んで配設されている。そして、前記レーザビーム切断装置６２は、樹脂シート５１の幅方向に及び搬送方向に位置調整可能に、かつ、着脱可能に装置フレーム６１に取り付けられている。
【００６３】
これにより、前記レーザビーム切断装置６２の樹脂シート５１の幅方向に関する位置や個数を、成形品５２の位置、大きさ、個数等に合わせて、適宜調整することができる。例えば、成形品５２が樹脂シート５１の幅方向に５個形成されている場合、４個のレーザビーム切断装置６２が駆動軸３８に取り付けられ、それぞれの駆動ロール３５の位置は、隣接する成形品５２同士の間の部分、すなわち、樹脂シート５１の搬送方向に延在するスクラップ部に対応するように調整されている。また、成形品５２の樹脂シート５１の搬送方向に関するピッチと成形品５２のトリミング位置との関係から、前記レーザビーム切断装置６２の前記搬送方向に関する位置が調整される。
【００６４】
なお、スリット形成装置６０は、スリットを形成する際に樹脂シート５１をガイドするガイド手段としてのガイド部材６３を備える。ここで、該ガイド部材６３は、シートガイド装置２０の下側シートガイド２４を樹脂シート５１の搬送方向における上流側に延長したものであるが、前記下側シートガイド２４から独立したものであってもよい。また、前記ガイド部材６３に対向するように、上側シートガイド２３を樹脂シート５１の搬送方向における上流側に延長することもできる。さらに、前記ガイド部材６３に代えてロールを使用することもできる。これにより、レーザビームを照射して切断する際の樹脂シート５１の位置を安定させることができるので、効率的にスリット５４及びスリット５５を形成することができる。
【００６５】
本実施の形態においては、レーザビーム切断装置６２の動作をオン−オフ制御してレーザビームの照射時間を制御することによって、前記第１の実施の形態における図５に示されるようなスリット５４及び図６に示されるようなスリット５５を形成することができる。なお、前記スリット５４及びスリット５５を形成する場合のレーザビーム切断装置６２の動作と、トリミング装置１０の上側打抜刃１３の昇降動作（上側打抜刃の動作）及び樹脂シート５１の搬送動作（樹脂シートの搬送動作）との関係は、図９に示されるようになっている。図９において、レーザビーム切断装置６２の第１の動作はスリット５４を形成する場合のレーザビーム切断装置６２がレーザビームを照射する動作であり、レーザビーム切断装置６２の第２の動作はスリット５５を形成する場合のレーザビーム切断装置６２がレーザビームを照射する動作である。
【００６６】
このように、本実施の形態においては、樹脂シート５１の搬送方向における打抜ステーションより上流側に配設されたスリット形成装置６０のレーザビーム切断装置６２によって、樹脂シート５１における隣接する成形品５２同士の間のスクラップ部にスリット５４又はスリット５５が形成される。そのため、前記第１の実施の形態のように、スリット形成ロール３３の昇降させるための機械的動作が不要となり、スリット形成装置６０の構成を簡素化することができる。また、スリット形成装置６０の動作の制御も容易に行うことができる。
【００６７】
なお、前記第１及び第２の実施の形態においては、打抜装置が打抜刃を用いて成形品をトリミングするトリミング装置である場合について説明したが、本発明は、打抜装置がトムソン刃を用いて成形品を打ち抜く打抜プレス装置にも適用することができる。
【００６８】
また、本発明は前記実施の形態に限定されるものではなく、本発明の趣旨に基づいて種々変形させることが可能であり、それらを本発明の範囲から排除するものではない。
【００６９】
【発明の効果】
以上詳細に説明したように、本発明によれば、抜きずれ防止装置においては、樹脂シートに成形された成形品を打ち抜く打抜装置の打抜ステーションの上流側に配設され、樹脂シートを切断する樹脂シート切断装置を有し、前記樹脂シートにおける隣接する成形品同士の間のスクラップ部にスリットを形成する。
【００７０】
この場合、打抜ステーションにおいて、それぞれの成形品は、樹脂シートの幅方向に関してフリーな状態となっているので、自己整合可能な状態となっている。したがって、樹脂シートが、例えば、ＰＰのような収縮率が大きい材質から成るものであっても、前記成形品は正確に位置決めされて打ち抜かれるので、打抜成形品は所定の形状及び良好な切断面を有し、品質が高いものとなる。
【００７１】
他の抜きずれ防止装置においては、さらに、前記樹脂シート切断装置は、前記樹脂シートの幅方向に関する位置を調整することができる。
【００７２】
この場合、樹脂シートに成形された成形品の大きさ、ピッチ等が変更されても対応することができ、他種類の成形品を成形する樹脂シート成形ラインに適用することができる。
【００７３】
更に他の抜きずれ防止装置においては、さらに、前記樹脂シート切断装置は、切断刃又はレーザビームによって前記樹脂シートを切断する。
【００７４】
この場合、切断刃を昇降させたりレーザビームの照射時間を制御したりすることにより、樹脂シートの所定の箇所に所定の長さのスリットを形成することができる。
【００７５】
更に他の抜きずれ防止装置においては、さらに、前記スリットを形成する際に前記樹脂シートをガイドするガイド手段を有する。
【００７６】
この場合、樹脂シートが位置決めされるので、スリットを正確に形成することができる。
【００７７】
更に他の抜きずれ防止装置においては、さらに、前記スリットのそれぞれは、前記成形品のそれぞれに対応するように、又は、１ショットの成形動作に対応する部分のそれぞれに対応するように形成される。
【００７８】
この場合、樹脂シートが幅方向に分離して複数の帯状になってしまうことがないので、前記樹脂シートは、幅方向における全部分が搬送方向に引っ張る力を受けることができ、安定して搬送される。
【図面の簡単な説明】
【図１】本発明の第１の実施の形態における打抜装置の側面図である。
【図２】従来のトリミング装置の概念図である。
【図３】本発明の第１の実施の形態におけるスリット形成装置の正面断面図であり図１のＡ矢視断面図である。
【図４】本発明の第１の実施の形態におけるスリット形成装置の側断面図であり図３のＢ矢視断面図である。
【図５】本発明の第１の実施の形態におけるスリットが形成された樹脂シートを示す第１の平面図である。
【図６】本発明の第１の実施の形態におけるスリットが形成された樹脂シートを示す第２の平面図である。
【図７】本発明の第１の実施の形態におけるスリット形成装置の動作を示すタイムチャートである。
【図８】本発明の第２の実施の形態における打抜装置の側面図である。
【図９】本発明の第２の実施の形態におけるスリット形成装置の動作を示すタイムチャートである。
【符号の説明】
１０　　トリミング装置
３０、６０　　スリット形成装置
３３　　スリット形成ロール
３４　　切断刃
３５　　駆動ロール
３６　　切断刃収容スリット
４３、６３　　ガイド部材
５１　　樹脂シート
５２　　成形品
５４、５５　　スリット
６２　　レーザビーム切断装置
【図１】
2004050343.tif 000003
【図２】
2004050343.tif 000004
【図３】
2004050343.tif 000005
【図４】
2004050343.tif 000006
【図５】
2004050343.tif 000007
【図６】
2004050343.tif 000008
【図７】
2004050343.tif 000009
【図８】
2004050343.tif 000010
【図９】
2004050343.tif 000011